(57)【要約】【課題】  特殊記号を利用し、不正送受信防止を図り、信頼性を高めたファクシミリ装置を提供する。【解決手段】  受信した文書内の特殊な記号の検出機能が有効で、特殊な記号を検出したときに、印字できない旨の表示を操作表示手段７に行わせるシステム制御手段６を備えた。【選択図】  図２
2006165903.tif 000002
【特許請求の範囲】
【請求項１】
不正コピーを防止する目的で、文書に特殊な記号が埋め込まれている文書を送受信するファクシミリ装置において、
受信した文書内の特殊な記号の検出機能の有効無効を制御する制御手段と、
文書の全ページを受信し終わって確認したのちに印字を開始する印字手段と、
前記検出機能が有効で特殊な記号を検出したときに、印字できない旨の表示を行う表示手段と、
印字できない旨の表示を行いつつ印字を中断する印字中断手段と、を備えたことを特徴とするファクシミリ装置。
【請求項２】
請求項１に記載のファクシミリ装置において、
ファクシミリにより受信するページ単位毎に、前記特殊な記号の検出有無を判定する特殊記号判定手段と、
前記特殊な記号が検出されたページの受信データに対して、内容を判読できないような加工を行う加工手段と、
前記特殊な記号が検出されていないページを印字するページ印字手段と、を更に備えたことを特徴とするファクシミリ装置。
【請求項３】
請求項２に記載のファクシミリ装置において、
前記特殊な記号が検出されたページに対して、エラー応答するエラー対応手段を更に備えたことを特徴とするファクシミリ装置。
【請求項４】
請求項１、２または３のファクシミリ装置において、
前記特殊な記号を検出したため印字できなかった旨を通信履歴に記憶する通信履歴記憶手段を更に備えたことを特徴とするファクシミリ装置。
【発明の詳細な説明】
【技術分野】
【０００１】
本発明は、ファクシミリ装置に関し、特に不正送受信防止技術に関する。
【背景技術】
【０００２】
従来から機密文書を外部に漏洩されないようにするために、外観から気付かれないような特殊な記号を埋め込み、コピー防止することが一般的に行われている（例えば、特許文献１、２参照）。
【特許文献１】特開平７−１２９０５０号公報
【特許文献２】特開２００３−２０５６６１公報
【発明の開示】
【発明が解決しようとする課題】
【０００３】
しかしながら、特許文献１に開示されている発明は、再利用の記録紙に捺印が残っている場合に、それを検出して不正印刷を防止するものであり、防止する対象がかなり限定されるため、使用目的によってはこの技術を利用できないといった問題がある。
また特許文献２に開示されている発明は、少なくとも２種類の偽造防止技術を用いてハードコピー上に埋め込むものであり、装置が大掛かりとなり、コストが高くなるといった問題がある。
このように複写機の分野では、上述のように、不正コピー防止技術、文書改ざん防止技術が種種提案されている。またファクシミリ装置においても有効な不正送受信防止技術の提案が切望されている。
本発明は、特殊記号を利用し、不正送受信防止を図り、信頼性を高めたファクシミリ装置を提供することを目的とする。
【課題を解決するための手段】
【０００４】
上記目的を達成するために、請求項１記載の発明は、不正コピーを防止する目的で、文書に特殊な記号が埋め込まれている文書を送受信するファクシミリ装置において、受信した文書内の特殊な記号の検出機能の有効無効を制御する制御手段と、文書の全ページを受信し終わって確認したのちに印字を開始する印字手段と、前記検出機能が有効で特殊な記号を検出したときに、印字できない旨の表示を行う表示手段と、印字できない旨の表示を行いつつ印字を中断する印字中断手段と、を備えたことを特徴とする。
請求項２記載の発明は、請求項１に記載のファクシミリ装置において、ファクシミリにより受信するページ単位毎に、前記特殊な記号の検出有無を判定する特殊記号判定手段と、前記特殊な記号が検出されたページの受信データに対して、内容を判読できないような加工を行う加工手段と、前記特殊な記号が検出されていないページを印字するページ印字手段と、を更に備えたことを特徴とする。
請求項３記載の発明は、請求項２に記載のファクシミリ装置において、前記特殊な記号が検出されたページに対して、エラー応答するエラー対応手段を更に備えたことを特徴とする。
請求項４記載の発明は、請求項１、２または３のファクシミリ装置において、前記特殊な記号を検出したため印字できなかった旨を通信履歴に記憶する通信履歴記憶手段を更に備えたことを特徴とする。
【発明の効果】
【０００５】
本発明によれば、不正コピー防止が目的の特殊な記号を検出したとき印字を中止しているので、機密文書の印字を回避し、信頼性を向上させることができる。
また、特殊記号のないページの印字は可能であるため、文書のなかの機密事項を細かく設定できる。
また、特殊記号のあったページは印字されず、さらに送信側でもエラーであったことが判別できるため、機密事項が漏洩されなかったことを確認することができる。
また、不正コピーを防止するための特殊記号付きの文書を受信した際に、この事実を記録し、あとで参照することが可能である。
【発明を実施するための最良の形態】
【０００６】
以下、本発明の実施の形態を図面に従って説明する。
図１は機密文書を示す図である。この例では、印刷したときに、自動的に「＊」１０、１１、１２が３箇所に印字されており、コピーをとるときに、この３つの記号を検出してコピーできないようにしている。
図２は本発明の実施の形態に係るファクシミリ装置のシステム構成を示すブロック図である。ファクシミリの原稿を読み取るスキャナ１、受信した画像の印字を行うプロッタ２、画情報を圧縮伸張する符号化復号化部３、通信を実行する通信制御部４、回線に接続されて発呼／着呼を行う網制御部５、本発明の制御を行い、かつ所定のファクシミリ制御を行うためのシステム制御部６、オペレータへの表示や操作を入力するための操作表示部７から本システムは構成されている。
特に、本発明における特殊記号の検出は、符号化復号化部３とシステム制御部６において行われ、コピー禁止文書であることが判断されると、操作表示部７に表示したり、受信画像を白紙に変える。
図３は本発明のファクシミリ装置における第１の処理例を示すフローチャートである。コピー禁止文書の受信禁止機能が有効のときは（Ｓ１でＹ）、全ページを受信後（Ｓ２）、特殊記号の有無を判断する（Ｓ３）。特殊記号が検出されなければ印字し（Ｓ４）終了するが、検出されたときは、印字できないことを表示して（Ｓ５）終了する。
図４は本発明のファクシミリ装置における第２の処理例を示すフローチャートである。ページ単位で印字可否を判定する。このため、まずページを受信してから（Ｓ１）、コピー禁止文書の受信禁止機能が有効なのか判断し（Ｓ２）、特殊記号が検出された場合には（Ｓ３）、ページデータを白紙へ変更し（Ｓ４）、印字する（Ｓ５）。これを全ページで実施して（Ｓ６）終了する。
【０００７】
図５は本発明のファクシミリ装置における第３の処理例を示すフローチャートである。図４に示す第２の処理例に対して、ページ単位でエラー応答する処理Ｓ５が追加されている。Ｓ１〜Ｓ４は第２の処理例のＳ１〜Ｓ４と同じであるので、説明は割愛する。Ｓ６、Ｓ７も第２の処理例のＳ５、Ｓ６と同じであるので、説明は割愛する。
通常、受信と印字とは非同期で行われることが普通になってきている。これはＥＣＭという通信方式ではエラーが発生しないことを前提にしているため、メモリに入りきった時点で（印字していなくても）送信機に対して受信ＯＫ（エラーなし）の応答を行うことが可能であるためである。
しかし、第３の処理例のように、ページ毎にエラー応答を行うためには、非ＥＣＭ通信方式にするか、もしくはコピー禁止ページがあったら通信断、もしくはＰＩＮ信号により送信側オペレータ呼び出しシーケンスを実行することになってしまう。第３の処理例では、例として非ＥＣＭ通信しているものとして記載している。
図６は本発明のファクシミリ装置における第４の処理例を示すフローチャートである。図４に示す第２の処理例に対して、通信履歴にコピー禁止ページがあったことを記録する処理（Ｓ７）が追加されている。他の処理は図４に示す第２の処理例と同様であるので説明を省略する。
【図面の簡単な説明】
【０００８】
【図１】機密文書を示す図である。
【図２】本発明の実施の形態に係るファクシミリ装置のシステム構成を示すブロック図である。
【図３】本発明のファクシミリ装置における第１の処理例を示すフローチャートである。
【図４】本発明のファクシミリ装置における第２の処理例を示すフローチャートである。
【図５】本発明のファクシミリ装置における第３の処理例を示すフローチャートである。
【図６】本発明のファクシミリ装置における第４の処理例を示すフローチャートである。
【符号の説明】
【０００９】
３  符号化復号化部（符号化復号化手段）
６  システム制御部（システム制御手段）
７  操作表示部（操作表示手段）
【図１】
2006165903.tif 000003
【図２】
2006165903.tif 000004
【図３】
2006165903.tif 000005
【図４】
2006165903.tif 000006
【図５】
2006165903.tif 000007
【図６】
2006165903.tif 000008